【事件の表示】
　特願２０１２−２６４１０１号「ＬＥＤモジュールの実装方法」拒絶査定不服審判事件〔平成２６年　６月１２日出願公開、特開２０１４−１１０１５３号〕について、次のとおり審決する。
【結　論】
　本件審判の請求は、成り立たない。
【理　由】
第１．手続の経緯
　本願は、平成２４年１２月３日の出願であって、平成２６年１１月１９日付けで拒絶査定がなされ、これに対し、平成２７年３月３日付け（同年３月４日受付）に拒絶査定不服審判の請求がなされるとともに、その請求と同時に手続補正がなされたものである。
　
第２．平成２７年３月３日付け（同年３月４日受付）の手続補正についての補正却下の決定
［補正却下の決定の結論］
　平成２７年３月４日付けの手続補正（以下、「本件補正」という。）を却下する。
［理由］
１．補正後の本件発明 
　本件補正は、特許請求の範囲の請求項１について、
（１）「【請求項１】
　　放熱ホルダにおけるＬＥＤ装着室内の搭載面壁に装着可能な寸法設定とした矩形状板の高熱伝導率素材製の実装基盤の一面に、高熱電度率の素材層を介するか、または直接かの何れかにてＬＥＤチップを搭載し、該ＬＥＤチップに接続した耐熱性リード線を導出すると共に、該一面とは反対面となる他面を平滑面状の設置底面とした上、該実装基盤の外周縁適所には複数のネジ用バカ溝を設けてなるＣＯＢ型ＬＥＤの、該平滑面状の設置底面を、放熱ホルダにおけるＬＥＤ装着室内の搭載面壁に対し、薄膜状放熱グリス層を介して密着接合させると共に、各耐熱性リード線を、対応する配線孔に挿し通した上、当該ネジ用バカ溝を、放熱ホルダに設けてあるネジ孔に対応させてネジで着脱可能に結合する一方、同放熱ホルダの先端開口から、同ＬＥＤ装着室内壁に沿ってリフレクターを装着し、同先端開口にレンズを装着し、同先端開口の雄ネジにレンズ枠を螺着し、施蓋状に密閉し、一体化するようにしたことを特徴とするＬＥＤモジュールの実装方法。」（なお、「高熱電度率」は「高熱電導率」の誤記と認められる。）
　とあったものを
（２）「【請求項１】
　　放熱ホルダにおけるＬＥＤ装着室内の搭載面壁に装着可能な寸法設定とした矩形状板の高熱伝導率素材製の実装基盤の一面に、
高熱伝動率の素材層を介して
密閉して一体化してＬＥＤモジュールとなし、これら複数個のＬＥＤモジュールを、容器型灯具本体１０内適所に対し、姿勢調整台設置座面と取付けレール縦列固定面壁との間、および、取付けレール熱伝導脚部の接地面と容器型灯具本体内の取付け適所との間の夫々に放熱グリス層または放熱シートを介在させて所定配列とした上で結合してＬＥＤ光源ユニットに形成するよう組み込み、各ＬＥＤモジュールが発する熱を姿勢調整台取付けレールおよび容器型灯具本体へと効率的に伝達可能で、且つ一括脱着可能なものとな
　と補正することを含むものである。（なお、「高熱伝動率」は「高熱電導率」の誤記と認められ、下線は補正箇所を示すために審判請求人が付したものである。）
　上記補正は、請求項１に記載された発明を特定するために必要な事項である「ＬＥＤチップを搭載し」に関し、「高熱電度率の素材層を介するか、または直接かの何れかにて」との択一的な記載を「高熱伝動率の素材層を介して」と補正して限定するとともに、「ＬＥＤモジュール」に関し、「これら複数個のＬＥＤモジュールを、容器型灯具本体１０内適所に対し、姿勢調整台設置座面と取付けレール縦列固定面壁との間、および、取付けレール熱伝導脚部の接地面と容器型灯具本体内の取付け適所との間の夫々に放熱グリス層または放熱シートを介在させて所定配列とした上で結合してＬＥＤ光源ユニットに形成するよう組み込み、各ＬＥＤモジュールが発する熱を姿勢調整台取付けレールおよび容器型灯具本体へと効率的に伝達可能で、且つ一括脱着可能なものとなる」との限定事項を付加したものであり、かつ、補正前の請求項１に記載された発明と、補正後の請求項１に記載される発明の産業上の利用分野及び解決しようとする課題が同一であるので、本件補正は、特許法第１７条の２第５項第２号の特許請求の範囲の減縮を目的とするものに該当する。
　そこで、本件補正後の前記請求項１に記載される発明（以下、「本願補正発明」という。）が特許出願の際独立して特許を受けることができるものであるか（特許法第１７条の２第６項において準用する同法第１２６条第７項の規定に適合するか）について以下に検討する。
　
２．引用文献の記載事項及び引用発明
（１）原査定の拒絶の理由に引用された、本願の出願前に頒布された刊行物である特開２０１２−３８５３２号公報（以下、「引用文献１」という。）には、ＬＥＤモジュールの実装方法に関し、図面とともに次の事項が記載されている。
　
(ア)「【０００５】
　（問題意識）
　　上述したとおり、従前までに提案のある各種ＬＥＤ照明灯具類は、何れも、
ＬＥＤの寿命が、高温や過剰電流によって大幅に短縮してしまう
特にその放熱手段や道路事情に合わせた配光具合は大きな課題となっている。
【０００６】
　（発明の目的）
　　そこで、この発明は、
放熱性能に秀れる
（イ）「【０００９】
　　以上のとおり、この発明のトンネル照明灯具によれば、従前までのものとは違い、上記したとおりの固有の特徴ある構成から、
ベースレールに複数個のＬＥＤモジュールを配したＬＥＤユニットを着脱自在に装着してあり、平板透明カバーを開放するだけで、簡便且つ迅速にＬＥＤユニット単位で脱着、交換することができる
各ＬＥＤモジュールの発光に伴う発熱を軽減し、各ＬＥＤの耐久寿命を大幅に延長することができる
（ウ）「【００２９】
　　それら各図からも明確に把握できるとおり、この発明のトンネル照明灯具１は、長さが８９０ｍｍ、幅が５６５ｍｍ、高さが１４５ｍｍの底面開口
筐体状アルミニウム合金製の箱型本体２
複数条のＬＥＤ取付区画２１，２１，……を形成しており、
各ＬＥＤ取付区画２１，２１，……の夫々に、ＬＥＤユニット４，４，……を複数本のボルトで着脱自在に装着したものとし
（エ）「【００３１】
    
ＬＥＤユニット４は、
ベースレール６の
中央に沿って形成した凸条部６３に、図１９に示すとおり、高出力マルチチップＬＥＤ５０、短柱状体の中央にＬＥＤ５０を同心状に装着可能な凹欠部を形成し、外周壁に環状放熱フィンを一体化形成したアルミニウム合金製放熱ホルダ５１、同放熱ホルダ５１の先端がわから装着したＬＥＤ５０の周囲に同心状に配置可能な凹面ミラー５２、および、先端固定用の環状枠５３を組み合わせてなる複数個のＬＥＤモジュール５……を夫々光軸調整スペーサー７，７，……（図１９中は垂直スペーサー７０）を介して４個が一列に装着するものとし、要所要所には放熱グリス７２を塗布し、ネジ７３，７３，……で着脱自在に固着したものとしてあり、前記環状枠５３の中央には、透明ガラス製のカバーや、集光用のレンズなどを設けたものとすることができる。
【００３２】
    
各ＬＥＤユニット４，４，……は、夫々のベースレール６，６，……を介して各ＬＥＤ取付区画２１，２１，……に着脱自在に装着し
【００３３】
    図１および図２に示す一般道路トンネルの片側車線への設置に適したものは、図５、図１８、図２２および図２３などに示すように、
各光軸調整スペーサー７，７，……を傾斜スペーサー７１，７１，……としたものであり、しかも各傾斜スペーサー７１，７１，……は、各々がベースレール６ベース下面６０に対して直交する中心（軸心）回りに角度姿勢を調節可能なものとし
各ＬＥＤユニット４，４，……の各ＬＥＤモジュール５，５，……が夫々、箱型本体２に装着し
（オ）【図１３】には、放熱ホルダ５１における凹欠部の搭載面壁に装着可能な実装基盤の一面に、ＬＥＤチップを搭載すること、及び実装基盤の反対面となる他面を平滑面状の設置底面とすることが示され、【図１９】には、該実装基盤は矩形状板であり、外周縁には複数の溝を設けていることが示されている。また、同じく【図１９】には、該ＬＥＤチップに接続したリード線を導出し、各リード線を、対応する放熱ホルダ５１の配線孔に挿し通すことが示されている。
　また、記載事項（エ）の段落【００３１】の記載内容から、放熱ホルダ５１の先端がわから同凹欠部の壁に沿って凹面ミラー５２を装着し、同先端がわに集光用のレンズを設けた先端固定用の環状枠５３を組み合わせてＬＥＤモジュール５となしていることが理解できる。
（カ）記載事項（エ）の段落【００３１】には、「複数個のＬＥＤモジュール５……を夫々光軸調整スペーサー７，７，……（図１９中は垂直スペーサー７０）を介して４個が一列に装着するものとし、要所要所には放熱グリス７２を塗布し、ネジ７３，７３，……で着脱自在に固着」することが記載されているところ、該放熱グリス７２は【図１９】を参酌すると放熱ホルダ５１と高出力マルチチップＬＥＤ５０の間にあるから、高出力マルチチップＬＥＤ５０の、平滑面状の設置底面を、放熱ホルダ５１における凹欠部の搭載面壁に対し、放熱グリス７２を塗布して密着接合させていることが理解できる。さらに、同段落【００３３】の記載内容から、光軸調整スペーサー７の着脱自在先は、ベースレール６であり、さらに、【図１０】、【図１６】及び【図１９】を参酌すると、複数個のＬＥＤモジュール５を、アルミニウム合金製の箱型本体２のＬＥＤ取付区画２１に対し、該ＬＥＤモジュール５と組み合わせた光軸調整スペーサー７の設置座面とベースレール６の縦列固定面壁および、ベースレール６の脚部の接地面とＬＥＤ取付区画２１とを接合し４個が一列に装着してＬＥＤユニット４に形成するよう組み込まれていることが理解できる。
（キ）記載事項（ウ）には、ＬＥＤユニット４を箱型本体２のＬＥＤ取付区画２１に複数本のボルトで着脱自在に装着することが記載されている。
　これら記載事項、図示内容及び認定事項を総合し、本願補正発明の記載ぶりに倣って整理すると、引用文献１には、次の発明（以下、「引用発明」という。）が記載されている。
《引用発明》
「放熱ホルダ５１における凹欠部の搭載面壁に装着可能な矩形状板の実装基盤の一面に、ＬＥＤチップを搭載し、該ＬＥＤチップに接続したリード線を導出すると共に、該一面とは反対面となる他面を平滑面状の設置底面とした上、該実装基盤の外周縁には複数の溝を設けてなる高出力マルチチップＬＥＤ５０の、該平滑面状の設置底面を、放熱ホルダ５１における凹欠部の搭載面壁に対し、放熱グリス７２を塗布して密着接合させると共に、各リード線を、対応する配線孔に挿し通した上、放熱ホルダ５１に結合する一方、同放熱ホルダ５１の先端がわから同凹欠部の壁に沿って凹面ミラー５２を装着し、同先端がわに集光用のレンズを設けた先端固定用の環状枠５３を組み合わせてＬＥＤモジュール５となし、これら複数個のＬＥＤモジュール５を、アルミニウム合金製の箱型本体２のＬＥＤ取付区画２１に対し、該ＬＥＤモジュール５と組み合わせた光軸調整スペーサー７の設置座面とベースレール６の縦列固定面壁および、ベースレール６の脚部の接地面とＬＥＤ取付区画２１とを接合し４個が一列に装着してＬＥＤユニット４に形成するよう組み込み、各ＬＥＤモジュール５が発する熱を効率的に外部に放出可能で、且つＬＥＤユニット４を箱型本体２のＬＥＤ取付区画２１に複数本のボルトで着脱自在に装着したＬＥＤモジュール５の実装方法。」
（２）原査定の拒絶の理由に引用された、本願の出願前に電気通信回路を通じて公衆に利用可能となった登録実用新案第３１７７２７８号公報（以下、「引用文献２」という。）には、「トンネル用ＬＥＤ照明放熱構造」に関し、図面とともに次の事項が記載されている。
　
（ク）「【０００１】
　本考案は、ＬＥＤチップを使用した照明装置において、とくにトンネル内で使用される照明器具に使用され、
ＬＥＤチップから発生する熱を効率よく外部に放熱できる
（ケ）「【実施例】
【００１５】
  図１乃至図３に示すように、本考案のトンネル用ＬＥＤ照明放熱構造を有する照明装置１００は、
複数のＬＥＤチップ２が表面に実装された金属基板３
支持部材４の裏面にはヒートシンク７が取り付けられており、後述する熱伝導性を有する粘着シート１６を介して筐体５と熱接続している。
３．対比
　本願補正発明と引用発明とを対比すると、その意味、機能または構造からみて、
・後者の「放熱ホルダ５１」は、前者の「放熱ホルダ」に相当し、後者の「凹欠部の搭載面壁」は前者の「ＬＥＤ装着室内の搭載面壁」に相当し、実装基盤を凹欠部の搭載面壁に装着可能な寸法設定とすることは明らかであるから、後者の「放熱ホルダ５１における凹欠部の搭載面壁に装着可能な矩形状板の」「実装基盤」と前者の「放熱ホルダにおけるＬＥＤ装着室内の搭載面壁に装着可能な寸法設定とした矩形状板の高熱伝導率素材製の」「実装基盤」とは、「放熱ホルダにおけるＬＥＤ装着室内の搭載面壁に装着可能な寸法設定とした矩形状板の」「実装基盤」という限りにおいて共通する。
　
・後者の「ＬＥＤチップに接続した」「リード線」と前者の「ＬＥＤチップに接続した」「耐熱性リード線」とは、「ＬＥＤチップに接続した」「リード線」という限りにおいて共通する。
・後者の「実装基盤の外周縁には複数の溝を設けてなる」「高出力マルチチップＬＥＤ５０」と前者の「実装基盤の外周縁適所には複数のネジ用バカ溝を設けてなる」「ＣＯＢ型ＬＥＤ」とは、「実装基盤の外周縁には複数の溝を設けてなる」「ＬＥＤ」という限りにおいて共通する。
・後者の「放熱グリス７２」は前者の「薄膜状放熱グリス層」に相当し、
後者の「同放熱ホルダ５１の先端がわから同凹欠部の壁に沿って凹面ミラー５２を装着し」は前者の「同放熱ホルダの先端開口から、同ＬＥＤ装着室内壁に沿ってリフレクターを装着し」に相当する。
・後者の「ＬＥＤモジュール５」は前者の「ＬＥＤモジュール」に相当するところ、後者の「先端がわに集光用のレンズを設けた先端固定用の環状枠５３を組み合わせ」ることは、先端がわに集光用のレンズを装着し、環状枠５３を固定し、施蓋状に密閉して一体化したことといえるから、後者の「同先端がわに集光用のレンズを設けた先端固定用の環状枠５３を組み合わせて」と前者の「同先端開口にレンズを装着し、同先端開口の雄ネジにレンズ枠を螺着し、施蓋状に密閉して一体化して」とは、「同先端開口にレンズを装着し、レンズ枠で固定し、施蓋状に密閉して一体化して」という限りにおいて共通する。
・後者の「アルミニウム合金製の箱型本体２のＬＥＤ取付区画２１」は前者の「容器型灯具本体１０内適所」に相当する。また、後者の「ＬＥＤユニット４」は前者の「ＬＥＤ光源ユニット」に相当するところ、後者の「これら複数個のＬＥＤモジュール５を、アルミニウム合金製の箱型本体２のＬＥＤ取付区画２１に対し、該ＬＥＤモジュール５と組み合わせた光軸調整スペーサー７の設置座面とベースレール６の縦列固定面壁および、ベースレール６の脚部の接地面とＬＥＤ取付区画２１とを接合し４個が一列に装着してＬＥＤユニット４に形成するよう組み込み」と前者の「これら複数個のＬＥＤモジュールを、容器型灯具本体１０内適所に対し、姿勢調整台設置座面と取付けレール縦列固定面壁との間、および、取付けレール熱伝導脚部の接地面と容器型灯具本体内の取付け適所との間の夫々に放熱グリス層または放熱シートを介在させて所定配列とした上で結合してＬＥＤ光源ユニットに形成するよう組み込み」とは、「これら複数個のＬＥＤモジュールを、容器型灯具本体内適所に対し、姿勢調整台の設置座面と取付けレール縦列固定面壁および、取付けレール脚部の接地面と容器型灯具本体内の取付け適所とを接合し所定配列とした上で結合してＬＥＤ光源ユニットに形成するよう組み込み」という限りにおいて共通する。
・前者の「一括脱着可能なものとなるようにした」は、本願明細書の段落【００４２】に記載内容によれば、容器型灯具本体１０内適所に「ＬＥＤ光源ユニット」を一括脱着可能なものとなることであるから、後者の「ＬＥＤユニット４を箱型本体２のＬＥＤ取付区画２１に複数本のボルトで着脱自在に装着した」は前者の「一括脱着可能なものとなるようにした」に相当する。
　そうすると、両者は、本願補正発明の用語を用いて表現すると、次の点で一致する。 
[一致点] 
「放熱ホルダにおけるＬＥＤ装着室内の搭載面壁に装着可能な寸法設定とした矩形状板の実装基盤の一面に、ＬＥＤチップを搭載し、該ＬＥＤチップに接続したリード線を導出すると共に、該一面とは反対面となる他面を平滑面状の設置底面とした上、該実装基盤の外周縁適所には溝を設けてなるＬＥＤの、該平滑面状の設置底面を、放熱ホルダにおけるＬＥＤ装着室内の搭載面壁に対し、薄膜状放熱グリス層を介して密着接合させると共に、各リード線を、対応する配線孔に挿し通した上、放熱ホルダに結合する一方、同放熱ホルダの先端開口から同ＬＥＤ装着室内壁に沿ってリフレクターを装着し、同先端開口にレンズを装着し、レンズ枠で固定し、施蓋状に密閉して一体化してＬＥＤモジュールとなし、これら複数個のＬＥＤモジュールを、容器型灯具本体内適所に対し、姿勢調整台の設置座面と取付けレール縦列固定面壁および、取付けレール脚部の接地面と容器型灯具本体内の取付け適所とを接合し所定配列とした上で結合してＬＥＤ光源ユニットに形成するよう組み込み、且つ一括脱着可能なものとなるようにしたＬＥＤモジュールの実装方法。」
　そして、両者は次の点で相違する。 
[相違点１] 
　本願補正発明の「ＬＥＤ」は、「高熱伝導率素材製」の実装基盤の一面に、「高熱伝動率の素材層を介して」ＬＥＤチップを搭載し、該ＬＥＤチップに接続した「耐熱性」リード線を導出する「ＣＯＢ型ＬＥＤ」であるのに対し、
　引用発明の「ＬＥＤ」は、実装基盤の一面に、ＬＥＤチップを搭載し、該ＬＥＤチップに接続したリード線を導出する「高出力マルチチップＬＥＤ５０」であり、実装基盤の材質、及び高熱伝動率の素材層を介してＬＥＤチップを搭載するか明らかでなく、リード線が耐熱性であるか不明である点。
[相違点２] 
　本願補正発明は、実装基盤の外周縁適所には複数の「ネジ用バカ」溝を設けるものであり、「該ネジ用バカ溝を、放熱ホルダに設けてあるネジ孔に対応させてネジで着脱可能に」に結合するのに対し、
　引用発明は、実装基盤の外周縁には複数の溝を設けるものであるが、該溝の用途が不明である点。
[相違点３] 
　本願補正発明は、「同先端開口の雄ネジにレンズ枠を螺着」するのに対し、
　引用発明は、「同先端がわに集光用のレンズを設けた先端固定用の環状枠５３を組み合わせ」るものであるが、環状枠５３の具体的な固定手段が明らかでない点。
[相違点４] 
　本願補正発明は、「これら複数個のＬＥＤモジュールを、容器型灯具本体１０内適所に対し、姿勢調整台設置座面と取付けレール縦列固定面壁との間、および、取付けレール熱伝導脚部の接地面と容器型灯具本体内の取付け適所との間の夫々に放熱グリス層または放熱シートを介在させて所定配列とした上で結合してＬＥＤ光源ユニットに形成するよう組み込み、各ＬＥＤモジュールが発する熱を姿勢調整台取付けレールおよび容器型灯具本体へと効率的に伝達可能で」あるのに対し、
　引用発明は、「これら複数個のＬＥＤモジュール５を、アルミニウム合金製の箱型本体２のＬＥＤ取付区画２１に対し、該ＬＥＤモジュール５と組み合わせた光軸調整スペーサー７の設置座面とベースレール６の縦列固定面壁および、ベースレール６の脚部の接地面とＬＥＤ取付区画２１とを接合し４個が一列に装着してＬＥＤユニット４に形成するよう組み込み、各ＬＥＤモジュール５が発する熱を効率的に外部に放出可能で」あるものであるが、かかる放熱グリス層または放熱シートを介在させているか明らかでなく、各ＬＥＤモジュールが発する熱を姿勢調整台取付けレールおよび容器型灯具本体へと効率的に伝達可能であるか不明である点。
４．当審の判断
[相違点１について]
・引用文献２には、ＬＥＤチップから発生する熱を効率よく外部に放熱するために、ＬＥＤチップの実装基盤として金属基板を用いることが記載されている（以下、「引用文献２に記載されている事項」という。）。該金属基板は、ＬＥＤチップから発生する熱を効率よく外部に放熱するという課題からして、熱伝導性の素材といえるし、本願補正発明の「高熱伝導率素材製」は、本願明細書の段落【００３０】に「アルミニウム製またはセラミック製」と記載されているところ、ＬＥＤチップから発生する熱を外部に放熱するためにアルミニウム製の実装基盤を用いることは、例えば、特開２０１１−９１２１３号公報の段落【００２３】及び特開２０１２−４１４２２公報の段落【０１２２】に記載されているように従来周知の技術といえる。
・また、前掲の特開２０１１−９１２１３号公報には、段落【００２４】に、ＬＥＤチップとしてＣＯＢ方式を用いることが、同段落【００２５】に、本願補正発明の高熱伝動率の素材層に相当する接合部材14を介してＬＥＤチップを基板12に実装することが記載され、特開２０１２−４１４２２号公報には、段落【０００１】に、光半導体素子としてチップオンボード（ＣＯＢ）方式を用いることが、同段落【０１１２】及び段落【０１１７】には、本願補正発明の高熱伝動率の素材層に相当する硬化物層３を介して光半導体素子５を熱伝導体２に備えることが記載されている。このように、ＣＯＢ型ＬＥＤにおいて、ＬＥＤチップから発生する熱を外部に放熱するために、高熱伝導率の素材層を介してＬＥＤチップを実装基盤に搭載することは、従来の周知の技術である。
・引用発明、引用文献２に記載されている事項、及び各周知技術は、ＬＥＤチップから発生する熱を外部に放熱するという課題で共通しているから、引用発明に引用文献２に記載されている事項及び各周知技術を組み合わせる動機付けは存在するものといえる。加えて、引用文献１の記載事項（ア）に、ＬＥＤが高温になるという知見が示されているから、リード線を耐熱性にすることも当業者であれば適宜になし得ることである。
　以上総合すると、引用発明に、引用文献２に記載されている事項及び各周知技術を適用して、引用発明において、実装基盤をアルミニウム等の高熱伝導率素材製とし、該実装基盤の一面に高熱伝導率の素材層を介してＬＥＤチップを搭載し、リード線を耐熱性にしたＣＯＢ型ＬＥＤにすることは当業者であれば容易に想到し得たことである。
　よって、引用発明において、上記相違点１に係る本願補正発明の発明特定事項とすることは、当業者が容易に想到し得たことである。
[相違点２について]
　引用文献１の【図１９】には、高出力マルチチップＬＥＤ５０と凹面ミラー５２との間にネジあるいはピンのような固着具が図示されており、実装基盤と放熱ホルダ５１を結合することが示唆されているし、板状のものを着脱可能に結合する手段としてネジとバカ溝を用いることは例示するまでもなくよく知られた技術であるから、引用発明において、実装基盤の外周縁適所には複数のネジ用バカ溝を設け、該ネジ用バカ溝を、放熱ホルダ５１に設けてあるネジ孔に対応させてネジで着脱可能に結合する構成にすることは当業者であれば適宜になし得ることである。
　よって、引用発明において、上記相違点２に係る本願補正発明の発明特定事項とすることは、当業者が容易に想到し得たことである。
[相違点３について]
　引用発明における環状枠５３を放熱ホルダ５１の先端がわに固定する手段は、適宜選択し得るところ、発光ユニットの先端開口にレンズを装着する際に、先端開口側に雄ネジを設け、レンズ側に雌ネジを設けて螺着することは、例えば、特開２００９−２７７５５２号公報の段落【００２１】に記載されているように、従来周知の技術であるから、引用発明の当該固定する手段として、周知技術を適用し、放熱ホルダ５１の先端がわの雄ネジに先端固定用の環状枠５３を螺着することは当業者であれば適宜になし得ることである。
　よって、引用発明において、上記相違点３に係る本願補正発明の発明特定事項とすることは、当業者が容易に想到し得たことである。
[相違点４について]
　引用発明は、引用文献１の記載事項（ア）段落【０００９】に記載されているように、「各ＬＥＤモジュールの発光に伴う発熱を軽減し、各ＬＥＤの耐久寿命を大幅に延長する」ことを課題とし、「高出力マルチチップＬＥＤ５０の、該平滑面状の設置底面を、放熱ホルダ５１における凹欠部の搭載面壁に対し、放熱グリス７２を塗布して密着接合させ」との構成により、「各ＬＥＤモジュール５が発する熱を効率的に外部に放出可能」としたものある。また引用文献１の記載事項（エ）段落【００３１】には「要所要所には放熱グリス７２を塗布し」と記載され、【図１９】には、放熱ホルダ５１と光軸調整スペーサー７の間、該光軸調整スペーサー７とベースレール６との間に、放熱グリス７２と同様の破線の○が示されている。また、引用文献２には、本願補正発明の容器型灯具本体に該当する筐体５への取付けに際し、熱伝導性を有する粘着シート１６を介してＬＥＤの金属基板３を支持する支持部材４のヒートシンク７を熱接続していることが記載されている。これらのことから、ＬＥＤモジュールの実装方法において、ＬＥＤから発する熱を効率的に外部に放出するために、ＬＥＤから筐体に至る各部材間に放熱グリス層または放熱シートを介在させることは、よく知られている技術といえる。
　そして、ＬＥＤモジュール５から発する熱の放熱性能の程度は、ＬＥＤの熱特性や個数（装着密度）及び用途等に応じて、適宜に設定し得ることであり、引用発明において、各ＬＥＤモジュール５が発する熱を光軸調整スペーサー７、ベースレール６および箱型本体へと効率的に伝達可能とするために、光軸調整スペーサー７の設置座面とベースレール６の縦列固定面壁との間、および、ベースレール６の脚部の接地面とＬＥＤ取付区画２１との間の夫々にも放熱グリスを介在させることは当業者であれば適宜になし得ることである。
　よって、引用発明において、上記相違点４に係る本願補正発明の発明特定事項とすることは、当業者が容易に想到し得たことである。
　そして、本願補正発明による効果も、引用発明、引用文献１に記載されている事項、引用文献２に記載されている事項、及び各周知技術から当業者が予測し得た程度のものであって、格別のものとはいえない。
　
　したがって、本願補正発明は、引用発明、引用文献１に記載されている事項、引用文献２に記載されている事項、及び各周知技術に基いて、当業者が容易に発明をすることができたものであるから、特許法第２９条第２項の規定により、特許出願の際独立して特許を受けることができない。 
　
５．むすび 
　以上のとおり、本件補正は、特許法第１７条の２第６項において準用する同法第１２６条第７項の規定に違反するので、同法第１５９条第１項において読み替えて準用する同法第５３条第１項の規定により却下すべきものである。
　　　 　 
第３．本願発明について 
１．本願発明 
　本件補正は、上記のとおり却下されたので、本願の請求項１に係る発明は、平成２６年１０月２７日に補正された特許請求の範囲の請求項１に記載された事項により特定されるとおりのものであると認められるところ、その請求項１に係る発明（以下、「本願発明」という。）は、前記「第２．１．（１）」に記載したとおりである。　　
 　 
２．引用文献の記載事項 
　刊行物の記載事項は、前記「第２．２．」に記載したとおりである。 
 　 
３．対比・判断 
　本願発明は、本願補正発明から、前記「第２．１．」に記載した限定事項を省くものである。そうすると、本願発明の発明特定事項を含み、さらに、前記「第２．１．」の限定事項により減縮したものに相当する本願補正発明が、前記「第２．３．及び４．」に記載したとおり、引用発明、引用文献１に記載されている事項、引用文献２に記載されている事項、及び各周知技術に基いて、当業者が容易に発明をすることができたものであるから、本願発明も、実質的に同様の理由により、引用発明、引用文献１に記載されている事項、引用文献２に記載されている事項、及び各周知技術に基いて、当業者が容易に発明をすることができたものである。 
　　
４．むすび 
　以上のとおり、本願発明（請求項１に係る発明）は、引用発明、引用文献１に記載されている事項、引用文献２に記載されている事項、及び各周知技術に基いて、当業者が容易に発明をすることができたものであるから、特許法第２９条第２項の規定により、特許を受けることができない。
　よって、結論のとおり審決する。